(57)【特許請求の範囲】
【請求項１】
枠材または板材によって平面形状が横長矩形状に形成された基部と、この基部の表面側に膨出して設けられた飾り部と、基部と飾り部の間に形成され紐体が長手方向に挿通される挿通部と、基部の隅部に形成され長手向に軸孔を形成したナックル部とで構成された装飾単体の複数個を長手方向に隣接して配列し、隣接するナックル部同士を貫通し両端に抜け止部を有する軸ピンで緩く連結したことを特徴とする装飾品。
【請求項２】
上記基部は、平面内で僅かに湾曲形状に形成したことを特徴とする請求項１に記載の装飾品。
【請求項３】
上記基部の湾曲した内側の辺に上記ナックル部を形成したことを特徴とする請求項２に記載の装飾品。
【請求項４】
上記軸ピンは、径方向及び長手方向に遊びをもって上記ナックル部に嵌挿されたことを特徴とする請求項１、請求項２又は請求項３に記載の装飾品。
【請求項５】
請求項１乃至請求項４の何れかに記載の装飾品に、環状に連結可能な紐体を挿通させたことを特徴とする首周りの装身具。
【発明の詳細な説明】
【０００１】
【発明の属する技術分野】
本発明は、装飾品及びこれをチョーカー又はネックレス等に用いた装身具に関する。
【０００２】
【従来の技術】
従来、チョーカー又はネックレス等として、ガラス、真珠、宝石、合成樹脂等の飾り玉を糸に通して数珠状にした飾り紐が用いられている。これら飾り紐はそれ自体でも装身具として利用できるものであるが、さらに貴金属を用いた装飾品を装着することで装飾効果を高めることができる。
【０００３】
【発明が解決しようとする課題】
上記装飾品を用いた場合、自然な曲線美を出すためには装飾品自体を屈曲形成する必要があるが、硬質の装飾品をそのまま上記飾り紐に装着した場合には、身に付けた場合に飾り紐の曲線と装飾品の曲線との繋がりが自然でなく、また装飾品が身体の曲面に沿わずに不自然となる等の問題がある。
【０００４】
本発明は、上記問題点に鑑みてなされたものであり、身に付けた場合に自然な曲線が形成され身体の曲面にも良好に馴染む装飾品及びこれを用いた首周りの装身具を提供することを目的とする。
【０００５】
【課題を解決するための手段】
以上の技術的課題を解決するため、本発明に係る装飾品１は、図１乃至図３に示すように、枠材または板材によって平面形状が横長矩形状に形成された基部５と、この基部５の表面側に膨出して設けられた飾り部６と、基部５と飾り部６の間に形成され紐体１４が長手方向に挿通される挿通部１０と、基部５の隅部に形成され長手向に軸孔を形成したナックル部７とで構成された装飾単体３の複数個を長手方向に隣接して配列し、隣接するナックル部７同士を貫通し両端に抜け止部９を有する軸ピン８で緩く連結した構成である。
【０００６】
本発明に係る装飾品１の上記基部５は、平面内で僅かに湾曲形状に形成した構成である。
【０００７】
また、本発明に係る装飾品１は、上記基部５の湾曲した内側の辺に上記ナックル部７を形成した構成である。
【０００８】
本発明に係る装飾品１の上記軸ピン８は、径方向及び長手方向に遊びをもって上記ナックル部７に嵌挿された構成である。
【０００９】
本発明に係る首周りの装身具２は、上記何れかの装飾品１に、環状に連結可能な紐体１４を挿通させた構成である。
【００１０】
【発明の実施の形態】
以下、本発明の実施の形態を図面に基づいて説明する。
図１は、装身具としてのチョーカー２を示したものである。このチョーカー２の前部中央には、飾り紐１４に挿通された装飾品１が設けられている。
【００１１】
上記飾り紐１４は、ガラス、真珠、宝石、或いは合成樹脂を用いたビーズ１１を糸に数珠状に通した紐１２を一本又は複数本束ねたものであり、この両端部はそれぞれ兜状の留め具１６，１７が固定されている。この留め具１６，１７の一方には、金属製のチェーン１８が取り付けられ、また他方には留め金１９が取り付けられレバー操作により留め外しを行う。
【００１２】
上記装飾品１は図２に示すように、３つの長尺状の装飾単体３ａ，３ｂ，３ｃを長尺方向に並べて配置し、各装飾単体３同士を連結機構４で連結したものである。各装飾単体３は、枠材が横長矩形状に形成された基部５、この基部５の表面側に膨出して設けられた飾り部６、及び基部５と飾り部６の間に形成され飾り紐１４が長手方向に挿通される挿通部１０を有している。この枠材に代えて、周囲が板厚に形成された長尺板材を用いることができる。
【００１３】
上記基部５は装飾単体３の裏面側に形成され、枠材として上枠２２、下枠２３、縦枠２４からなる枠組みが平面内で僅かに湾曲した横長に形成され、上枠２２と下枠２３間には複数箇所に補強材２１が設けられている。上記飾り部６は、基部５の上枠２２と下枠２３間にわたって木の葉等の装飾２５が膨出形成され、或いは、枠２２，２３の一方のみから装飾２６が膨出形成され、これらにより飾り紐１４の挿通部１０が形成されている。
【００１４】
上記連結機構４は、上記装飾単体３ａと装飾単体３ｂとの隣接部、及び装飾単体３ｂと装飾単体３ｃとの隣接部に設けられている。この連結機構４は図３に示すように、各装飾単体３ａ，３ｂの湾曲した内側にあたる上枠２２の隣接側の隅の上部にそれぞれナックル部７を固定し、これらナックル部７同士を軸ピン８で連結したものである。
【００１５】
このナックル部７は、装飾単体３の連結方向と同じ長手向に軸孔が形成され、このナックル部７の内径と、軸ピン８の径との間には、径に適度の差を設けて遊びを持たせている。この軸ピン８の両端部に設けられる抜け止部９ａ，９ｂは、装飾単体３ａ，３ｂ間の長手方向に遊びとしての隙間ができる位置に固定されている。
【００１６】
固定に際しては、例えば、一端部に抜け止部９ａが固定された軸ピン８を、両ナックル部７に挿通させ他端部に抜け止部９ｂを嵌合し、ロウ付け等の固着手段により固定する。上記装飾単体３ａ，３ｂ，３ｃ及び連結機構４は、金、銀、白金、プラチナ等を用いた金属細工により造られ、部材同士の接合にはロウ付け等の固着手段を用いる。
【００１７】
上記軸ピン８の径の遊び、及び長尺方向の遊びにより、装飾単体３ａ，３ｂ，３ｃ同士を緩く連結したので、装飾単体３ａ，３ｂ，３ｃ同士は所定の角度範囲内で方向自在に折れ曲がり或いは回動自在である。３つの装飾単体３ａ，３ｂ，３ｃの２箇所を連結機構４で連結した装飾品１は、全体が緩やかな円弧状に形成される。上記飾り紐１４をこの装飾品１に挿通すれば、図１又は図４に示すように、装飾されたチョーカー２が得られる。
【００１８】
従って、上記チョーカー２は、３個の装飾単体３ａ，３ｂ，３ｃ同士がほどよく屈曲して飾り紐１４とともに自然な曲線が得られ、併せて身体の表面にフィットし装着感を損なわない。また、装飾単体３ａ，３ｂ，３ｃ同士の折れ曲がりも所定の範囲で規制されることから、チョーカー２全体の曲線の形崩れも防止される。
【００１９】
また、このチョーカー２は一部に金属製の装飾品１を装着して、金属特有の光沢による装飾効果が得られる。さらに、ナックル部７は、基部５の上枠２２の上部に取り付ける形態を採用したから、ナックル部７が基部５の裏面側に突出することがなく、身に付けた場合に不快感を与えることがない。
【００２０】
なお、この実施の形態では、装飾品１をチョーカーに装着した形態を示したが、これ以外に、装飾品１をネックレス、アームレット、ブレスレット、ベルト等に用いることができる。また、ここでは３連の装飾単体３ａ，３ｂ，３ｃを示したが、これは、２連或いは３連以上であってもよく、何れも同様な効果が期待できる。また、装飾単体３ａ，３ｂ，３ｃの飾り部６に、宝石等の装飾を施すことは何ら差し支えない。
【００２１】
【発明の効果】
以上説明したように、本発明に係る装飾品によれば、基部の表面側に設けられた飾り部、紐体が長手方向に挿通される挿通部、基部の隅部に形成されたナックル部とで構成された装飾単体の複数個を配列し、隣接するナックル部同士を軸ピンで緩く連結した構成を採用したから、装飾単体同士がほどよく屈曲して身体の表面にフィットするとともに、装飾単体同士の折れ曲がりも所定の範囲で規制されることから、曲線の形崩れも防止されるという効果を奏する。
【００２２】
本発明に係る装飾品によれば、基部は、平面内で僅かに湾曲形状に形成し、この湾曲した内側の辺にナックル部を形成した構成を採用したから、良好に装飾単体同士が折れ曲がり自然な曲線が得られるという効果がある。
【００２３】
本発明に係る装身具によれば、装飾品に環状に連結可能な紐体を挿通させた構成を採用したから、紐体と共に装飾単体同士がほどよく屈曲して身体の表面にフィットするとともに、装身具の曲線の形崩れも防止されるという効果を奏する。
【図面の簡単な説明】
【図１】本発明の実施の形態に係る装身具を示す図である。
【図２】実施の形態に係る装飾品を示す図である。
【図３】実施の形態に係る装飾品の部分図である。
【図４】実施の形態に係る装身具の裏面を示す図である。
【符号の説明】
１  装飾品
２  装身具（チョーカー）
３，３ａ，３ｂ，３ｃ  装飾単体
５  基部
６  飾り部
７  ナックル部
８  軸ピン
９ａ，９ｂ  抜け止部
１０  挿通部
１４  紐体（飾り紐）
【図１】
0003622734.tif 000002
【図２】
0003622734.tif 000003
【図３】
0003622734.tif 000004
【図４】
0003622734.tif 000005